(57)【要約】      （修正有）【課題】向上した信頼性及び視認性を有するタッチウィンドウを提供する。【解決手段】タッチウィンドウ１０は、カバー基板１００と、カバー基板１００上の第１の中間層と、第１の中間層上の電極層と、第１の中間層上の第２の中間層とを含み、第１の中間層と第２の中間層とは、互いに異なる屈折率を有する。【選択図】図１
0003197252.tif 000002
【実用新案登録請求の範囲】
【請求項１】
カバー基板と、
前記カバー基板上の第１の中間層と、
前記第１の中間層上の電極層と、
前記電極層上の第２の中間層とを含み、
前記第１の中間層と前記第２の中間層とは、互いに異なる屈折率を有するタッチウィンドウ。
【請求項２】
前記第２の中間層の屈折率は、前記第１の中間層の屈折率よりも大きい請求項１に記載のタッチウィンドウ。
【請求項３】
前記第１の中間層と前記第２の中間層との屈折率の差は、０.２以上である請求項１又は２に記載のタッチウィンドウ。
【請求項４】
前記電極層は、感知電極と、前記感知電極に連結される配線電極とを含み、
前記感知電極及び前記配線電極の少なくとも１つの電極は、メッシュ状を含む請求項１乃至３のいずれか一項に記載のタッチウィンドウ。
【請求項５】
前記第１の中間層上に配置される第３の中間層を、更に含む請求項１乃至４のいずれか一項に記載のタッチウィンドウ。
【請求項６】
前記第３の中間層は、前記第１の中間層の一面及び他面の少なくとも１つの面に配置される請求項５に記載のタッチウィンドウ。
【請求項７】
前記第１の中間層及び前記第２の中間層の少なくとも１つの中間層は、有機物を含み、
前記第３の中間層は、無機物を含む請求項５又は６に記載のタッチウィンドウ。
【請求項８】
前記第３の中間層は、SiO2、TiO2、Fe2O3、ZrO2、Al2O3、Y2O3、MgO、及びCr2O3からなるグループから選ばれる少なくとも１つの物質を含む請求項５乃至７のいずれか一項に記載のタッチウィンドウ。
【請求項９】
前記第１乃至第３の中間層の厚さは、互いに異なる請求項５乃至８のいずれか一項に記載のタッチウィンドウ。
【請求項１０】
前記第１の中間層及び前記第２の中間層の少なくとも１つの中間層の厚さは、前記第３の中間層の厚さよりも厚い請求項５乃至９のいずれか一項に記載のタッチウィンドウ。
【請求項１１】
前記第１の中間層の厚さは、１um〜１５umであり、
前記第２の中間層の厚さは、１um〜１０umであり、
前記第３の中間層の厚さは、５nm〜３０nmである請求項５乃至１０のいずれか一項に記載のタッチウィンドウ。
【請求項１２】
前記電極層は、タッチ位置を感知する第１の電極層及び第２の電極層を含み、
前記第１の電極層は、前記第１の中間層上に配置され、
前記第２の電極層は、前記第２の中間層上に配置され、
前記第１の電極層と前記第２の電極層とは、交差配置される請求項１乃至１１のいずれか一項に記載のタッチウィンドウ。
【請求項１３】
前記電極層は、互いに異なる方向に延在配置される第１の感知電極及び第２の感知電極を含み、
前記第１の感知電極及び前記第２の感知電極は、前記中間層の同一面上に配置される請求項１乃至１１のいずれか一項に記載のタッチウィンドウ。
【請求項１４】
前記第２の中間層上の基板を、更に含み、
前記電極層は、互いに異なる方向に延在配置される第１の感知電極及び第２の感知電極を含み、
前記第１の感知電極は、前記第１の中間層上に配置され、
前記第２の感知電極は、前記基板上に配置される請求項１乃至１１のいずれか一項に記載のタッチウィンドウ。
【請求項１５】
前記カバー基板は、有効領域及び非有効領域を含み、
前記電極層は、前記有効領域上の感知電極、及び前記非有効領域上の配線電極を含み、
前記第１の中間層は、印刷層と前記配線電極との間に配置される請求項１乃至１４のいずれか一項に記載のタッチウィンドウ。
【請求項１６】
有効領域と、有効領域の外郭に沿って配置された非有効領域とを含むカバー基板と、
前記非有効領域上に配置される印刷層と、
前記カバー基板及び前記印刷層上の第１の中間層と、
前記第１の中間層上の感知電極と、
前記感知電極上の第２の中間層を含み、
前記印刷層の一面は、前記カバー基板と直接接触され、前記印刷層の前記一面と反対の他面は、前記第１の中間層と直接接触されるタッチウィンドウ。
【請求項１７】
前記感知電極に連結される配線電極を含み、
前記第２の中間層は、前記感知電極及び前記配線電極を覆う請求項１６に記載のタッチウィンドウ。
【請求項１８】
前記第２の中間層は、前記感知電極の上面及び側面の少なくとも１つの面を覆う請求項１６又は１７に記載のタッチウィンドウ。
【請求項１９】
前記第２の中間層は、前記配線電極の上面及び側面の少なくとも１つの面を覆う請求項１７又は１８のいずれか一項に記載のタッチウィンドウ。
【請求項２０】
前記感知電極は、第１の感知電極及び第２の感知電極を含み、
前記第１の感知電極は、前記第１の中間層上に配置され、
前記第２の感知電極は、前記第２の中間層上に配置され、
前記第１の感知電極と前記第２の感知電極とは、交差配置される請求項１６乃至１９のいずれか一項に記載のタッチウィンドウ。
【考案の詳細な説明】
【技術分野】
【０００１】
本考案は、タッチウィンドウに関する。
【背景技術】
【０００２】
近年、様々な電子製品において、ディスプレイ装置に表示された画像に、指又はスタイラスなどの入力装置に触る方式で入力を行うタッチウィンドウが適用されている。
【０００３】
このようなタッチウィンドウは、電極の位置によって、様々なタイプに形成される。例えば、カバー基板の一面にのみ電極を形成するか、カバー基板の一面及び基板の一面に電極を形成することができる。
【０００４】
ここで、カバー基板上に直接電極を配置すると、電極を配置する工程において、カバー基板の強度が弱くなって、タッチウィンドウの信頼性が低下するという不都合がある。
【０００５】
そのため、このような問題点を解決することができる新規構造のタッチウィンドウが要求される。
【考案の概要】
【考案が解決しようとする課題】
【０００６】
本考案は、向上した信頼性及び視認性を有するタッチウィンドウを提供することである。
【課題を解決するための手段】
【０００７】
本考案のタッチウィンドウは、カバー基板と、前記カバー基板上の第１の中間層と、前記第１の中間層上の電極層と、前記第１の中間層上の第２の中間層とを含み、前記第１の中間層と前記第２の中間層とは、互いに異なる屈折率を有する。
【考案の効果】
【０００８】
本考案によるタッチウィンドウは、カバー基板の強度を強化することができる。すなわち、本考案によるタッチウィンドウは、カバー基板上に第１の中間層を配置し、前記第１の中間層上に電極層を配置し、前記電極層上に第２の中間層を配置する。これによって、電極層形成工程において、カバー基板の強度が弱くなることを防止することができる。すなわち、カバー基板上に直接電極層を形成せず、カバー基板上に中間層を配置した後、中間層上に電極層を形成するので、電極層形成過程において、カバー基板上に伝達される外部の衝撃などの直接的な影響を減少させることができる。そこで、本考案のタッチウィンドウは、カバー基板の強度が弱くなることを防止して、向上した信頼性を有することができる。
【０００９】
また、本考案によるタッチウィンドウは、向上した視認性を有することができる。すなわち、本考案のタッチウィンドウは、互いに異なる屈折率を有する第１の中間層と第２の中間層とを配置することで、向上した視認性を有することができる。
【００１０】
更に、本考案によるタッチウィンドウは、電極の密着力を強化することができる。すなわち、本考案によるタッチウィンドウは、第１の中間層上に第３の中間層を配置し、第３の中間層上に電極層を配置することにより、電極の脱膜を防止し、向上した信頼性を有することができる。
【図面の簡単な説明】
【００１１】
【図１】図１は、第１の実施例によるタッチウィンドウの斜視図である。
【図２】図２は、第１の実施例によるタッチウィンドウの平面図である。
【図３】図３は、図２のＡ-Ａ'線に沿う断面を示す図である。
【図４】図４は、図２のＡ-Ａ'線に沿う断面を示す図である。
【図５】図５は、図２のＡ-Ａ'線に沿う断面を示す図である。
【図６】図６は、図２のＡ-Ａ'線に沿う断面を示す図である。
【図７】図７は、図２のＡ-Ａ'線に沿う断面を示す図である。
【図８】図８は、第２の実施例によるタッチウィンドウの斜視図である。
【図９】図９は、図８のＢ-Ｂ'線に沿う断面を示す図である。
【図１０】図１０は、図８のＢ-Ｂ'線に沿う断面を示す図である。
【図１１】図１１は、図８のＢ-Ｂ'線に沿う断面を示す図である。
【図１２】図１２は、図８のＢ-Ｂ'線に沿う断面を示す図である。
【図１３】図１３は、図８のＢ-Ｂ'線に沿う断面を示す図である。
【図１４】図１４は、本考案によるタッチウィンドウと表示パネルとが結合したタッチデバイスを示す図である。
【図１５】図１５は、本考案によるタッチウィンドウと表示パネルが結合したタッチデバイスを示す図である。
【図１６】図１６は、本考案によるタッチウィンドウと表示パネルが結合したタッチデバイスを示す図である。
【図１７】図１７は、本考案によるタッチウィンドウと表示パネルが結合したタッチデバイスを示す図である。
【図１８】図１８は、本考案によるタッチデバイスが適用されるタッチデバイス装置の一例を示す図である。
【図１９】図１９は、本考案によるタッチデバイスが適用されるタッチデバイス装置の一例を示す図である。
【図２０】図２０は、本考案によるタッチデバイスが適用されるタッチデバイス装置の一例を示す図である。
【図２１】図２１は、本考案によるタッチデバイスが適用されるタッチデバイス装置の一例を示す図である。
【考案を実施するための形態】
【００１２】
本考案の説明において、各層(膜)、領域、パターン、又は構造物が、基板、各層(膜)、領域、パッド、又はパターンの“上”に又は“下”に形成されるという記載は、直接(directly)、又は他の層を介して形成されることを含む。各層の上又は下に対する基準は、図面を基準に説明する。
【００１３】
また、ある部分が他の部分に“連結”されていることは、“直接的に連結”されている場合だけでなく、その中間に他の部材を挟んで“間接的に連結”されている場合も含む。また、ある部分が構成要素を“含む”ことは、特に反対の記載がない限り、他の構成要素を除くことではなく、他の構成要素を更に備えることができるということを意味する。
【００１４】
図面において、各層(膜)、領域、パターン、又は構造物の厚さやサイズは、説明の明確性及び便宜のために変形することがあるので、実際のサイズを反映することではない。
【００１５】
以下、添付の図面を参照して、本考案の実施例を詳細に説明することにする。
【００１６】
図１乃至図７に示しているように、第１の実施例によるタッチウィンドウ１０は、カバー基板１００と、中間層と、印刷層３００と、電極層と、印刷回路基板５００とを含む。
【００１７】
前記カバー基板１００は、前記中間層、前記印刷層３００、前記電極層、及び前記印刷回路基板５００を支持する。即ち、前記カバー基板１００は、支持基板である。
【００１８】
前記カバー基板１００は、硬く又はフレキシブルに形成される。また、前記カバー基板１００は、ガラス又はプラスチックを含む。
【００１９】
より具体的に、前記カバー基板１００は、ソーダライムガラス、又はアルミノシリケートガラスなどの化学強化・半強化ガラスを含むか、ポリイミド(Polyimide、PI)、ポリエチレンテレフタレート(polyethylene terephthalate、PET)、プロピレングリコール(propylene glycol、PPG)、ポリカーボネート(PC)などの強化又は軟性プラスチックを含むか、サファイアを含む。
【００２０】
サファイアは、誘電率など電気特性に非常に優れているため、タッチ反応速度を画期的に高くすることができるだけでなく、ホバリング(Hovering)など、空間タッチを容易に具現することができ、また、表面強度が高くて、カバー基板にも適用可能な物質である。ここで、ホバリングとは、ディスプレイから少し離れた距離でも、座標を認識する技術をいう。
【００２１】
また、前記カバー基板１００は、部分的に曲面をもって曲げられる。すなわち、基板は、部分的には平面を有し、部分的には曲面を有する。詳しくは、前記カバー基板１００の端が曲面をもって曲げられるか、ランダムな曲率を含む表面をもって曲げられる。
【００２２】
また、前記カバー基板１００は、柔軟な特性を有するフレキシブル基板である。
【００２３】
更に、前記カバー基板１００は、湾曲した基板である。すなわち、前記カバー基板１００を含むタッチウィンドウも、フレキシブル、又は湾曲特性を有するように形成される。これより、本考案によるタッチウィンドウは、携帯が容易であり、様々なデザインへの変形が可能である。
【００２４】
前記カバー基板１００では、有効領域(AA)、及び非有効領域(UA)が定義される。
【００２５】
前記有効領域(AA)では、ディスプレイが表示され、前記有効領域(AA)の周りに配置される前記非有効領域(UA)では、ディスプレイが表示されない。
【００２６】
また、前記有効領域(AA)及び前記非有効領域(UA)の少なくとも１つの領域では、入力装置(例えば、指など)の位置を感知することができる。このようなタッチウィンドウに、指などの入力装置が触ると、入力装置が接触した部分で静電容量の差が生じ、このような差が生じた部分を、接触位置として検出することができる。
【００２７】
図３乃至図７に示しているように、前記中間層は、第１の中間層２１０と、第２の中間層２２０とを含む。即ち、前記中間層は、前記カバー基板１００上に配置される第１の中間層２１０と、前記第１の中間層２１０上に配置される第２の中間層２２０とを含む。
【００２８】
前記第１の中間層２１０は、前記カバー基板１００上に配置される。また、前記第１の中間層２１０は、前記カバー基板１００の一面と接触配置される。より詳しくは、前記第１の中間層２１０は、前記カバー基板１００の一面と直接接触して配置される。
【００２９】
前記第１の中間層２１０は、前記カバー基板１００の全面又は部分に配置される。
【００３０】
また、前記第１の中間層２１０は、前記カバー基板１００の前記有効領域(AA)及び前記非有効領域(UA)の少なくとも１つの領域上に配置される。更に、前記第１の中間層２１０は、前記カバー基板１００の有効領域(AA)上にのみ配置されるか、前記カバー基板１００の全面、すなわち、有効領域及び非有効領域上の両方に配置されることができる。
【００３１】
前記第１の中間層２１０は、樹脂を含む。また、前記第１の中間層２１０は、有機物を含む。すなわち、前記第１の中間層２１０は、有機層である。
【００３２】
また、前記第１の中間層２１０は、樹脂組成物を含む。更に、前記第１の中間層２１０は、光硬化性樹脂組成物を含む。一例として、前記第１の中間層２１０は、アクリル系樹脂組成物を含む。
【００３３】
前記第１の中間層２１０は、前記カバー基板の強度を補う役目を果たす。より詳しくは、前記第１の中間層２１０は、前記カバー基板１００上に配置される前記電極層と、前記カバー基板１００との間に配置されることにより、前記電極層が配置される工程によって、カバー基板の強度が低下することを防止する。
【００３４】
すなわち、前記第１の中間層２１０によって前記電極層を配置することに際して、蒸着又はエッチングの工程中で発生する衝撃が、前記カバー基板１００に直接伝達されることを防止することで、カバー基板１００の強度が低下することを防止することができる。
【００３５】
そこで、本考案によるタッチウィンドウは、カバー基板の強度低下を防止することで、向上した信頼性を有することができる。
【００３６】
前記第１の中間層２１０は、約１um〜１５umの厚さで配置される。望ましくは、前記第１の中間層２１０は、約１um〜１０umの厚さで配置される。前記第１の中間層２１０が約１um未満に配置されると、電極層形成工程において、カバー基板の強度が低下し、約１５umを超えて配置すると、第１の中間層により、タッチウィンドウの厚さが全体として厚くなって、透過率が低下する。
【００３７】
前記印刷層３００は、前記カバー基板１００の非有効領域(UA)上に配置される。
【００３８】
図３に示しているように、前記印刷層３００は、前記カバー基板１００の非有効領域(UA)上に配置され、前記第１の中間層２１０は、前記カバー基板１００の有効領域(AA)及び非有効領域(UA)上に配置される。前記第１の中間層２１０は、前記印刷層３００を囲んで配置される。また、第１及び第２の配線電極４２１、４２２は、印刷層３００と離隔配置される。
【００３９】
これより、前記第１の中間層２１０によって、前記カバー基板と前記印刷層３００による段差を緩和することで、電極のクラック又は断線を防止することができる。
【００４０】
また、前記印刷層上に電極が直接配置されないので、印刷層の高い表面粗度による電極の損傷を防止することができる。
【００４１】
または、図４に示しているように、前記カバー基板１００は、有効領域(AA)と、有効領域の外郭に沿って配置された非有効領域(UA)とを含む。
【００４２】
前記カバー基板１００の前記非有効領域(UA)上に、印刷層３００が配置される。前記カバー基板１００及び前記印刷層３００上に、第１の中間層２１０が配置される。前記第１の中間層２１０上に、感知電極４１１、４１２が配置される。前記感知電極４１１、４１２上に、前記第２の中間層２２０が配置される。
【００４３】
前記印刷層３００の一面３００ａは、前記カバー基板１００と接触される。前記印刷層３００の前記一面と反対の他面３００ｂは、前記第１の中間層２１０と接触される。
【００４４】
前記印刷層３００の一面３００ａは、前記カバー基板１００と直接又は間接的に接触される。前記印刷層３００の前記一面と反対の他面３００ｂは、前記第１の中間層２１０と直接又は間接的に接触される。
【００４５】
また、前記印刷層３００の一面３００ａは、前記カバー基板１００と直接接触される。前記印刷層３００の前記一面と反対の他面３００ｂは、前記第１の中間層２１０と直接接触される。
【００４６】
より詳しくは、前記印刷層３００の前記一面と反対の他面３００ｂは、部分的に、前記第１の中間層２１０と直接接触される。
【００４７】
前記第１の中間層２１０は、有効領域に配置され、非有効領域には配置されない。
【００４８】
前記第１の中間層２１０が、有効領域に配置され、非有効領域には配置されないことは、前記第１の中間層２１０が、有効領域の全部を覆うことを含む。
【００４９】
合わせて、前記第１の中間層２１０が、有効領域に配置され、非有効領域には配置されないことは、前記第１の中間層２１０が、有効領域の全部を覆い、非有効領域の一部を覆いながら、非有効領域の残りの部分は覆わない場合を含む。
【００５０】
前記第１の中間層２１０は、前記印刷層３００と同様な厚さで配置される。これより、前記第１の中間層２１０によって、前記カバー基板と前記印刷層による段差を緩和することで、電極のクラック又は断線を防止することができる。
【００５１】
前記印刷層３００は、所望する外観によって、様々な色に具現することができる。
【００５２】
前記印刷層３００は、カバー基板１００上の配線電極と、配線電極を外部回路に連結する印刷回路基板などが、外部から見えないように、所定色を有する物質を塗布して形成することができる。前記印刷層３００は、所望する外観に適した色を有することができ、一例として、黒又は白の顔料などを含むことで、黒色又は白色を表すことができる。
【００５３】
又は、各種のカラーフィルムなどを用いて、赤、青などの様々なカラー色を表す。また、前記印刷層３００には、各種の方法で所望するロゴなどを形成することができる。前記印刷層３００は、蒸着、印刷、湿式コーティングなどによって形成することができる。
【００５４】
前記印刷層３００は、少なくとも１層以上で配置される。また、前記印刷層３００は、１つの層で配置されるか、幅が互いに異なる少なくとも２層で配置される。
【００５５】
前記電極層は、前記カバー基板１００上に配置される。また、前記電極層は、前記カバー基板１００上の前記第１の中間層２１０の一面上に配置される。
【００５６】
前記電極層は、感知電極４１０と、配線電極４２０とを含む。また、前記電極層は、前記カバー基板１００の有効領域及び非有効領域の少なくとも１つの領域上に配置される感知電極４１０と、前記非有効領域(UA)上に配置される配線電極４２０とを含む。
【００５７】
また、前記感知電極４１０は、前記カバー基板１００の有効領域(AA)上に配置される。
【００５８】
前記感知電極４１０は、伝導性物質を含む。また、前記感知電極４１０は、光の透過を妨げなく、且つ電気が流れるように、透明伝導性物質を含む。一例として、前記感知電極４１０は、インジウム錫酸化物(indium tin oxide)、インジウム亜鉛酸化物(indium zinc oxide)、銅酸化物(copper oxide)、錫酸化物(tin oxide)、亜鉛酸化物(zinc oxide)、チタン酸化物(titanium oxide)などの金属酸化物を含む。
【００５９】
しかし、本考案は、これに限られず、前記感知電極４１０は、ナノワイヤ、感光性ナノワイヤフィルム、炭素ナノチューブ(CNT)、グラフェン(graphene)、伝導性ポリマー、又はこれらの混合物を含む。
【００６０】
または、前記感知電極４１０は、様々な金属を含む。また、前記感知電極４１０は、クロム(Cr)、ニッケル(Ni)、銅(Cu)、アルミニウム(Al)、銀(Ag)、モリブデン(Mo)、金(Au)、チタン(Ti)、及びこれらの合金のうちの少なくとも１つの金属を含む。
【００６１】
また、前記感知電極４１０は、互いに交差するサブ電極を含む。このようなサブ電極によって、全体としてメッシュ状に形成される。
【００６２】
前記感知電極４１０は、互いに異なる方向に延在する第１の感知電極４１１と、第２の感知電極４１２とを含む。
【００６３】
前記第１の感知電極４１１は、前記カバー基板１００の前記有効領域(AA)上から第１の方向に延在して配置される。より詳しくは、前記第１の感知電極４１１は、前記カバー基板１００上の前記第１の中間層２１０上に配置される。前記第１の中間層２１０の一面は、前記カバー基板１００の一面と接触され、前記第１の感知電極４１１は、前記一面と反対の前記第１の中間層２１０の他面と接触される。
【００６４】
また、前記第２の感知電極４１２は、前記カバー基板１００の前記有効領域(AA)上から第２の方向に延在して配置される。より詳しくは、前記第２の感知電極４１２は、前記第１の方向と異なる方向である前記第２の方向に延在しながら、前記カバー基板１００上の前記第１の中間層２１０上に配置される。更に、前記第２の感知電極４１２は、前記中間層の他面と直接接触して配置される。すなわち、前記第１の感知電極４１１と、前記第２の感知電極４１２とは、前記カバー基板１００上の前記第１の中間層２１０の同一面上から互いに異なる方向に延在して配置される。
【００６５】
前記第１の感知電極４１１と、前記第２の感知電極４１２とは、前記カバー基板１００上の前記第１の中間層２１０上で互いに絶縁配置される。より詳しくは、前記第１の感知電極４１１は、第１の連結電極４１１ａによって互いに連結され、前記第１の連結電極４１１ａの部分に絶縁層４４０が配置され、前記絶縁層４４０上に第２の連結電極４１２ａが配置されて、前記第２の感知電極４１２を連結することができる。
【００６６】
これより、前記第１の感知電極４１１と、前記第２の感知電極４１２とは、互いに接触することなく、カバー基板１００上の前記第１の中間層２１０上の同一面、すなわち、有効領域の一面上で互いに絶縁して、共に配置される。
【００６７】
前記配線電極４２０は、前記カバー基板１００の前記非有効領域(UA)上に配置される。より詳しくは、前記配線電極４２０は、前記印刷層３００上に配置される。前記配線電極４２０は、前記印刷層３００、又は第１の中間層２１０と接触配置される。
【００６８】
また、図３に示しているように、前記第１の中間層２１０が、前記印刷層３００を囲んで配置される場合、前記配線電極４２０は、前記第１の中間層２１０と接触配置される。
【００６９】
又は、図４に示しているように、前記第１の中間層２１０が、前記カバー基板１００の有効領域(AA)に配置され、非有効領域(UA)には配置されないか、部分的に配置される場合、前記配線電極４２０は、前記印刷層３００と接触配置される。
【００７０】
前記配線電極４２０は、前記第１の中間層２１０、又は前記印刷層３００上に配置され、前記感知電極４１０に連結される。
【００７１】
前記配線電極４２０は、第１の配線電極４２１と、第２の配線電極４２２とを含む。即ち、前記配線電極４２０は、前記第１の感知電極４１１に連結される第１の配線電極４２１と、前記第２の感知電極４１２に連結される第２の配線電極４２２とを含む。前記第１の配線電極４２１及び前記第２の配線電極４２２の一端は、前記感知電極４１０に連結され、他端は、前記印刷回路基板５００に連結される。
【００７２】
前記配線電極４２０は、伝導性物質を含む。一例として、前記配線電極４２０は、前述した前記感知電極と同様な物質を含む。
【００７３】
前記配線電極４２０は、前記感知電極４１０から感知されるタッチ信号を伝達され、前記タッチ信号は、前記配線電極４２０を介して、前記配線電極４２０と電気的に連結される印刷回路基板５００に実装された駆動チップ５１０に伝達される。
【００７４】
前記印刷回路基板５００は、軟性印刷回路基板(FPCB)である。前記印刷回路基板５００は、前記非有効領域(UA)上に配置される前記配線電極４２０に連結される。より詳しくは、前記印刷回路基板５００は、前記非有効領域(UA)上で、前記配線電極４２０と異方性導電性フィルム(ACF)などを介して、電気的に連結される。
【００７５】
前記印刷回路基板５００には、駆動チップ５１０が実装される。より詳しくは、前記駆動チップ５１０は、前記感知電極４１０で感知されるタッチ信号を、前記配線電極４２０から伝達されて、タッチ信号による動作を行う。
【００７６】
前記第２の中間層２２０は、前記第１の中間層２１０上に配置される。また、前記第２の中間層２２０は、前記電極層上に配置され、前記電極層は、前記第１の中間層２１０と前記第２の中間層２２０との間に配置される。
【００７７】
前記感知電極４１０は、前記配線電極４２０に連結され、前記第２の中間層２２０は、前記感知電極４１０及び前記配線電極４２０を覆う。
【００７８】
前記第２の中間層２２０は、前記感知電極４１０の上面及び側面の少なくとも一面を覆う。即ち、前記第２の中間層２２０は、前記感知電極４１０の上面及び側面を覆うことができる。
【００７９】
前記第２の中間層２２０は、前記配線電極４２０の上面及び側面の少なくとも一面を覆う。即ち、前記第２の中間層２２０は、前記配線電極４２０の上面及び側面を覆うことができる。
【００８０】
前記第２の中間層２２０は、樹脂を含む。また、前記第２の中間層は、有機物を含む。すなわち、前記第２の中間層２２０は、有機層である。
【００８１】
また、前記第１の中間層２１０と前記第２の中間層２２０とは、同一・類似の物質を含む。
【００８２】
前記第１の中間層２１０と第２の中間層２２０とは、互いに異なる屈折率を有する。前記第２の中間層２２０の屈折率は、前記第１の中間層２１０の屈折率よりも大きくなる。更に、前記第１の中間層２１０と第２の中間層２２０との屈折率の差は、０.２以上である。望ましくは、前記第１の中間層２１０と第２の中間層２２０との屈折率の差は、０.２〜０.５である。より望ましくは、前記第１の中間層２１０と第２の中間層２２０との屈折率の差は、０.２〜０.３である。
【００８３】
前記第１の中間層２１０及び前記第２の中間層２２０の屈折率の差が、０.２未満であると、外部から電極が見られて、視認性が低下する。
【００８４】
また、前記第２の中間層２２０は、外部の衝撃から電極を保護することができる。すなわち、前記第２の中間層２２０は、前記電極層上に配置されて、外部の衝撃から感知電極又は配線電極を保護する保護層である。
【００８５】
前記第１の中間層２１０と前記第２の中間層２２０とは、同一又は異なる厚さで配置される。
【００８６】
また、前記第２の中間層２２０は、約１um〜１０umの厚さで配置される。望ましくは、前記第２の中間層２２０は、約１um〜５umの厚さで配置される。より望ましくは、前記第２の中間層２２０は、約１.５um〜３umの厚さで配置される。前記第２の中間層２２０が、１um未満に配置されると、外部の衝撃から電極を保護することができず、１０umを超えて配置すると、第２の中間層によって、タッチウィンドウの厚さが全体として厚くなって、透過率が低下する。
【００８７】
図５〜図７に示しているように、前記中間層は、第３の中間層２３０を、更に含む。前記第３の中間層２３０は、前記第１の中間層２１０上に配置される。また、前記第３の中間層２３０は、前記第１の中間層２１０の一面及び他面の少なくとも１つの面に配置される。
【００８８】
図５に示しているように、前記第３の中間層２３０は、第１の中間層２１０の一面上に配置される。また、前記第３の中間層２３０は、前記第１の中間層２１０と前記カバー基板１００とが接触する面と反対の面上に配置される。
【００８９】
または、図６に示しているように、前記第３の中間層２３０は、第１の中間層２１０の他面上に配置される。また、前記第３の中間層２３０は、前記第１の中間層２１０と前記カバー基板１００との間に配置される。
【００９０】
または、図７に示しているように、前記第３の中間層２３０は、第１の中間層２１０の一面及び他面上に配置される。また、前記第３の中間層２３０は、前記第１の中間層２１０と前記カバー基板１００との間、及び前記第１の中間層２１０と前記カバー基板１００とが接触する面と反対の面上に、それぞれ配置される。
【００９１】
前記第３の中間層２３０は、前記第１の中間層２１０及び前記第２の中間層２２０の少なくとも１つの中間層と異なる物質を含む。
【００９２】
また、前記第３の中間層２３０は、無機物を含む。すなわち、前記第３の中間層２３０は、無機層である。更に、前記第３の中間層２３０は、無機酸化物層を含む。更に、前記第３の中間層２３０は、SiO2、TiO2、Fe2O3、ZrO2、Al2O3、Y2O3、MgO、及びCr2O3からなるグループから選ばれる少なくとも１つの物質を含む。
【００９３】
前記第３の中間層２３０によって、前記電極層、すなわち、前記感知電極４１０及び前記配線電極４２０の密着力を向上することができる。または、前記第３の中間層２３０によって、カバー基板１００上に第１の中間層２１０を均一に配置することで、第１の中間層２１０の表面品質を向上することができる。
【００９４】
前記第３の中間層２３０は、前記第１の中間層２１０及び前記第２の中間層２２０と同一又は異なる厚さで配置される。
【００９５】
また、前記第３の中間層２３０は、約５nm〜３０nmの厚さで配置される。望ましくは、前記第３の中間層２３０は、約５nm〜２０nmの厚さで配置される。より望ましくは、前記第３の中間層２３０は、約１０nm〜２０nmの厚さで配置される。前記第３の中間層２３０が、５nm未満に配置されると、第１の中間層２１０と電極層の密着力が低下して、電極層が脱膜され、第１の中間層２１０が基板上に均一に蒸着されないことがある。また、前記第３の中間層２３０が３０nmを超えて配置されると、タッチウィンドウの厚さが全体として厚くなる。
【００９６】
更に、カバー基板１００と、前記カバー基板上の第１の中間層２１０と、前記第１の中間層上の電極層と、前記電極層上の第２の中間層２２０とを含むタッチウィンドウの総厚さは、約１０２um〜６２７umの厚さで配置される。
【００９７】
また、カバー基板１００と、前記カバー基板上の第１の中間層２１０と、前記第１の中間層上の電極層と、前記電極層上の第２の中間層２２０と、前記第１の中間層の一面及び他面の少なくとも１つの面に配置される第３の中間層２３０とを含むタッチウィンドウの総厚さは、約１０２um〜６２７umの厚さで配置される。
【００９８】
以下、図８乃至図１３に示しているように、第２の実施例によるタッチウィンドウ２０について説明する。第２の実施例によるタッチウィンドウの説明において、前述した第１の実施例の説明と同一の部分に対しては説明を省略し、同一の構成に対しては、同一の符号を付する。
【００９９】
図８乃至図１３に示しているように、第２の実施例によるタッチウィンドウ２０は、カバー基板１００上の基板１１０を、更に含む。
【０１００】
前記カバー基板１００上には、前述した第１の中間層２１０及び第２の中間層２２０が配置される。より詳しくは、前記第１の中間層２１０及び第２の中間層２２０は、前記カバー基板１００と前記基板１１０との間に配置される。
【０１０１】
図９に示しているように、前記印刷層３００は、前記カバー基板１００の非有効領域(UA)上に配置され、前記第１の中間層２１０は、前記カバー基板１００の有効領域(AA)及び非有効領域(UA)上に配置される。前記第１の中間層２１０は、前記印刷層３００を囲んで配置される。
【０１０２】
これより、前記第１の中間層２１０によって、前記カバー基板１００と前記印刷層３００による段差を緩和することで、電極のクラック又は断線を防止することができる。
【０１０３】
また、前記配線電極は、印刷層ではなく、中間層上に配置されるので、印刷層の表面粗度による配線電極の損傷を防止して、タッチウィンドウの信頼性を向上することができる。
【０１０４】
また、電極層は、前記第１の中間層の一面に配置される。更に、前記電極層は、前記第１の中間層２１０と前記カバー基板１００とが接触される面と反対の面上に配置される。
【０１０５】
更に、前記カバー基板１００の有効領域に対応する前記第１の中間層２１０上には、第１の感知電極４１１が配置される。前記第１の感知電極４１１は、第１の中間層２１０上に配置される第１の配線電極４２１に連結配置される。前記第２の中間層２２０は、前記第１の中間層２１０上に配置される。より詳しくは、前記第２の中間層２２０は、前記電極層、すなわち、第１の感知電極４１１上に配置される。また、前記第２の中間層２２０は、前記電極層を囲んで配置される。すなわち、前記第２の中間層２２０は、前記電極層と直接接触され、前記第１の中間層２１０と前記基板１１０との間に配置される。
【０１０６】
前記基板１１０は、前記第２の中間層２２０上に配置され、前記基板１１０上には、第２の感知電極４１２及び第２の配線電極４２２が配置される。前記基板１１０と前記第２の中間層２２０とは、光学用透明接着剤(OCA)などを介して、互いに接着される。
【０１０７】
図１０に示しているように、前記カバー基板１００は、有効領域(AA)と、有効領域の外郭に沿って配置された非有効領域(UA)とを含む。
【０１０８】
前記カバー基板１００の前記非有効領域(UA)上に、印刷層３００が配置される。前記カバー基板１００及び前記印刷層３００上に、第１の中間層２１０が配置される。前記第１の中間層２１０上に、前記第１の感知電極４１１が配置される。
【０１０９】
前記第１の感知電極４１１上に、前記第２の中間層２２０が配置される。前記第２の中間層２２０上に、前記第２の感知電極４１２が配置される。
【０１１０】
前記印刷層３００の一面３００ａは、前記カバー基板１００と接触される。前記印刷層３００の前記一面と反対の他面３００ｂは、前記第１の中間層２１０と接触される。
【０１１１】
前記印刷層３００の一面３００ａは、前記カバー基板１００と直接又は間接的に接触される。前記印刷層３００の前記一面と反対の他面３００ｂは、前記第１の中間層２１０と直接又は間接的に接触される。印刷層３００が複数の層からなる場合、印刷層３００の一面３００ａは、カバー基板１００から最も近く配置された印刷層の一面をいい、印刷層３００の他面は、カバー基板１００と最も離れた印刷層の他面をいう。
【０１１２】
前記印刷層３００の一面３００ａは、前記カバー基板１００と直接接触される。前記印刷層３００の前記一面と反対の他面３００ｂは、前記第１の中間層２１０と直接接触される。
【０１１３】
より詳しくは、前記印刷層３００の前記一面と反対の他面３００ｂは、部分的に前記第１の中間層２１０と直接接触される。
【０１１４】
前記第１の中間層２１０は、有効領域に配置され、非有効領域には配置されない。
【０１１５】
前記第１の中間層２１０が有効領域に配置され、非有効領域には配置されないことは、前記第１の中間層２１０が有効領域の全部を覆うことを含む。
【０１１６】
合わせて、前記第１の中間層２１０が有効領域に配置され、非有効領域には配置されないことは、前記第１の中間層２１０が有効領域の全部を覆い、非有効領域の一部を覆いながら、非有効領域の残りの部分は覆わない場合を含む。
【０１１７】
前記第１の中間層２１０は、前記印刷層３００と同様な厚さで配置される。これより、前記第１の中間層２１０によって、前記カバー基板と前記印刷層による段差を緩和することで、電極のクラック又は断線を防止することができる。
【０１１８】
前記電極層は、タッチ位置を感知可能な第１の電極層及び第２の電極層を含む。
【０１１９】
前記第１の電極層及び前記第２の電極層は、互いに異なる位置に配置される。また、前記第１の電極層は、前記第１の中間層２１０上に配置される。前記第２の電極層は、前記第２の中間層２２０上に配置される。
【０１２０】
また、前記第１の電極層と前記第２の電極層とは、互いに異なる方向に延在して配置される。即ち、前記第１の電極層と前記第２の電極層とは、互いに交差配置される。
【０１２１】
前記第１の電極層は、前記第１の感知電極４１１と、前記第１の感知電極４１１に連結される第１の配線電極４２１とを含む。前記第２の電極層は、前記第２の感知電極４１２と、前記第２の感知電極４１２に連結される第２の配線電極４２２とを含む。
【０１２２】
前記第１の感知電極４１１と前記第２の感知電極４１２とは、互いに異なる位置に配置される。また、前記第１の感知電極４１１は、前記第１の中間層２１０上に配置される。前記第２の感知電極４１２は、前記第２の中間層２２０上に配置される。
【０１２３】
また、前記第１の感知電極４１１と前記第２の感知電極４１２とは、互いに異なる方向に延在配置される。即ち、前記第１の感知電極４１１と前記第２の感知電極４１２とは、互いに交差配置される。前記第１の電極層は、前記第１の中間層の一面に配置される。また、前記第１の電極層は、前記第１の中間層２１０と前記カバー基板１００とが接触する面と反対の面上に配置される。
【０１２４】
前記カバー基板１００の有効領域に対応する前記第１の中間層２１０上には、第１の感知電極４１１が配置される。前記第１の感知電極４１１は、前記印刷層３００、又は前記第１の中間層２１０上に配置される第１の配線電極４２１に連結配置される。
【０１２５】
前記第２の中間層２２０は、前記第１の中間層２１０上に配置される。より詳しくは、前記第２の中間層２２０は、前記第１の電極層上に配置される。また、前記第２の中間層２２０は、前記第１の電極層を囲んで配置される。すなわち、前記第２の中間層２２０は、前記第１の電極層と直接接触され、前記第１の中間層２１０と前記基板１１０との間に配置される。
【０１２６】
前記基板１１０は、前記第２の中間層２２０上に配置され、前記基板１１０上には、第２の感知電極４１２及び第２の配線電極４２２が配置される。前記基板１１０と前記第２の中間層２２０とは、光学用透明接着剤(OCA)などを介して、互いに接着される。
【０１２７】
図１１乃至図１３に示しているように、前記中間層は、第３の中間層２３０を更に含む。前記第３の中間層２３０は、前記第１の中間層２１０上に配置される。また、前記第３の中間層２３０は、前記第１の中間層２１０の一面及び他面の少なくとも１つの面に配置される。
【０１２８】
図１１に示しているように、前記第３の中間層２３０は、第１の中間層２１０の一面上に配置される。また、前記第３の中間層２３０は、前記第１の中間層２１０と前記カバー基板１００とが接触する面と反対の面上に配置される。
【０１２９】
または、図１２に示しているように、前記第３の中間層２３０は、第１の中間層２１０の他面上に配置される。また、前記第３の中間層２３０は、前記第１の中間層２１０と前記カバー基板１００との間に配置される。
【０１３０】
または、図１３に示しているように、第３の中間層２３０は、第１の中間層２１０の一面及び他面上に配置される。更に、前記第３の中間層２３０は、前記第１の中間層２１０と前記カバー基板１００との間、及び前記第１の中間層２１０と前記カバー基板１００とが接触する面と反対の面上に、それぞれ配置される。
【０１３１】
前記第３の中間層２３０は、前記第１の中間層２１０及び前記第２の中間層２２０の少なくとも１つの中間層と異なる物質を含む。前記第３の中間層の物質及び厚さについては、前述した第１の実施例と同一であるので、以下での説明は省略することにする。
【０１３２】
以下、図１４乃至図１７に示しているように、前述したタッチウィンドウと表示パネルとが結合したタッチデバイスについて、説明する。
【０１３３】
図１４及び図１５に示しているように、本考案によるタッチデバイスは、表示パネル６００上に配置されるタッチウィンドウを含む。
【０１３４】
より詳しくは、図１４に示しているように、前記タッチデバイスは、前記カバー基板１００と前記表示パネル６００とが結合して形成される。前記カバー基板１００と前記表示パネル６００とは、接着層７００を介して互いに接着される。即ち、前記カバー基板１００と前記表示パネル６００とは、光学用透明接着剤(OCA)を含む接着層７００を介して粘着される。
【０１３５】
または、図１５に示しているように、前記カバー基板１００上に、基板１１０が更に配置される場合、前記タッチデバイスは、前記基板１１０と前記表示パネル６００とが結合して形成される。前記基板１１０と前記表示パネル６００とは、接着層７００を介して互いに接着される。即ち、前記基板１００と前記表示パネル６００とは、光学用透明接着剤(OCA)を含む接着層７００を介して粘着される。
【０１３６】
前記表示パネル６００は、第１の基板６１０と、第２の基板６２０とを含む。
【０１３７】
前記表示パネル６００が液晶表示パネルの場合、前記表示パネル６００は、薄膜トランジスタ(TFT)と画素電極を含む第１の基板６１０と、カラーフィルタ層を含む第２の基板６２０とが、液晶層を挟んで合着した構造で形成される。
【０１３８】
また、前記表示パネル６００は、薄膜トランジスタ、カラーフィルタ、及びブラックマトリックスが、第１の基板６１０に形成され、第２の基板６２０が、液晶層を挟み、前記第１の基板６１０と合着されるＣＯＴ(color filter on transistor)構造の液晶表示パネルである。すなわち、前記第１の基板６１０上に薄膜トランジスタを形成し、前記薄膜トランジスタ上に保護膜を形成し、前記保護膜上にカラーフィルタ層を形成することができる。また、前記第１の基板６１０には、前記薄膜トランジスタと接触する画素電極を形成する。ここで、開口率を向上し、マスク工程を単純化するために、ブラックマトリックスを省略し、共通電極が、ブラックマトリックスの役目を兼ねるように形成することができる。
【０１３９】
また、前記表示パネル６００が液晶表示パネルの場合、前記表示装置は、前記表示パネル６００の背面から光を提供するバックライトユニットを、更に含む。
【０１４０】
前記表示パネル６００が有機エレクトロルミネッセンス表示パネルの場合、前記表示パネル６００は、別の光源が不要な自発光素子を含むことができる。前記表示パネル６００は、第１の基板６１０上に薄膜トランジスタが形成され、前記薄膜トランジスタと接触する有機発光素子が形成される。前記有機発光素子は、陽極と、陰極と、及び前記陽極と陰極との間に形成された有機発光層とを含む。また、前記有機発光素子上に、封止のための封止基板の役目を果たす第２の基板６２０を、更に含む。
【０１４１】
図１６に示しているように、本考案によるタッチデバイスは、表示パネル６００と一体に形成されたタッチウィンドウを含む。これより、少なくとも１つの感知電極を支持する基板を省略することができる。
【０１４２】
より詳しくは、前記表示パネル６００の少なくとも一面に、少なくとも１つの感知電極が配置される。すなわち、前記第１の基板６１０又は前記第２の基板６２０の少なくとも一面に、少なくとも１つの感知電極が形成される。
【０１４３】
ここで、上部に配置された基板の上面に、少なくとも１つの感知電極が形成される。
【０１４４】
図１６に示しているように、前記カバー基板１００の一面に、第１の感知電極４１１が配置される。また、前記第１の感知電極４１１に連結される第１の配線が配置される。また、前記表示パネル６００の一面に、第２の感知電極４１２が配置される。また、前記第２の感知電極４１２に連結される第２の配線が配置される。
【０１４５】
前記カバー基板１００と前記表示パネル６００との間には、接着層７００が配置されて、前記カバー基板と前記表示パネル６００とを粘着する。
【０１４６】
また、前記カバー基板１００の下部に、偏光板を更に含む。前記偏光板は、線偏光板、又は外光反射防止偏光板である。更に、前記表示パネル６００が液晶表示パネルの場合、前記偏光板は、線偏光板である。また、前記表示パネル６００が有機エレクトロルミネッセンス表示パネルの場合、前記偏光板は、外光反射防止偏光板である。
【０１４７】
本考案によるタッチデバイスは、感知電極を支持する少なくとも１つの基板を省略することができる。これより、厚さが薄く、且つ軽いタッチデバイスを形成することができる。
【０１４８】
ついで、図１７により、他の実施例によるタッチデバイスについて説明する。前述した実施例と重複する説明は、省略することにする。同一の構成に対しては、同一の符号を付する。
【０１４９】
図１７に示しているように、本考案によるタッチデバイスは、表示パネル６００と一体に形成されたタッチウィンドウを含む。これより、少なくとも１つの感知電極を支持する基板を省略することができる。
【０１５０】
また、有効領域に配置され、タッチを感知するセンサの役目を果たす感知電極と、前記感知電極に電気的信号を与える配線とが、前記表示パネルの内側に形成される。より詳しくは、少なくとも１つの感知電極、又は少なくとも１つの配線が、前記表示パネルの内側に形成される。
【０１５１】
前記表示パネルは、第１の基板６１０と、第２の基板６２０とを含む。ここで、前記第１の基板６１０と第２の基板６２０との間に、第１の感知電極４１１及び第２の感知電極４１２の少なくとも１つの感知電極が配置される。すなわち、前記第１の基板６１０又は前記第２の基板６２０の少なくとも一面に、少なくとも１つの感知電極が配置される。
【０１５２】
図１７に示しているように、前記カバー基板１００の一面に、第１の感知電極４１１が配置される。また、前記第１の感知電極４１１に連結される第１の配線が配置される。また、前記第１の基板６１０と第２の基板６２０との間に、第２の感知電極４１２及び第２の配線が形成される。すなわち、表示パネルの内側に、第２の感知電極４１２及び第２の配線が配置され、表示パネルの外側に、第１の感知電極４１１及び第１の配線が配置される。
【０１５３】
前記第２の感知電極４１２及び第２の配線は、前記第１の基板６１０の上面、又は前記第２の基板６２０の背面に配置される。
【０１５４】
また、前記カバー基板１００の下部に、偏光板が更に配置される。
【０１５５】
前記表示パネルが液晶表示パネルであり、前記第２の感知電極が、第１の基板６１０の上面に形成される場合、前記第２の感知電極は、薄膜トランジスタ、又は画素電極と共に形成される。また、前記第２の感知電極が、第２の基板６２０の背面に形成される場合、前記感知電極上にカラーフィルタ層が形成されるか、前記カラーフィルタ層上に感知電極が形成される。前記表示パネルが有機エレクトロルミネッセンス表示パネルであり、前記第２の感知電極が、第１の基板６１０の上面に形成される場合、前記第２の感知電極は、薄膜トランジスタ、又は有機発光素子と共に形成される。
【０１５６】
本考案によるタッチデバイスは、感知電極を支持する少なくとも１つの基板を省略することができる。これより、厚さが薄く、且つ軽いタッチデバイスを形成することができる。また、表示パネルに形成される素子と共に、感知電極、及び配線を形成することで、工程を単純化し、コストを低減することができる。
【０１５７】
図１８乃至図２１は、前述したタッチウィンドウを含むタッチデバイス装置の一例を示す図である。
【０１５８】
図１８に示しているように、移動式端末機は、有効領域(AA)及び非有効領域(UA)を含む。前記有効領域(AA)は、指などのタッチによってタッチ信号を感知し、前記非有効領域には、指令アイコンパターン部、及びロゴなどが形成される。
【０１５９】
また、図１９に示しているように、タッチウィンドウは、柔軟性のあるタッチウィンドウを含む。このようなタッチデバイス装置は、フレキシブルタッチデバイス装置である。そこで、ユーザが手で曲げることができる。
【０１６０】
また、このようなフレキシブルタッチウィンドウは、ウェアラブル(wearable)タッチとして具現することができる。すなわち、人体に着用されるめがね、時計などに適用して、ウェアラブルタッチとして具現することができる。
【０１６１】
また、図２０に示しているように、タッチウィンドウは、自動車ナビゲーションにも適用可能である。
【０１６２】
更に、図２１に示しているように、このようなタッチウィンドウは、車内にも適用することができる。すなわち、前記タッチウィンドウは、車内でタッチウィンドウが適用される様々な部分に適用することができる。そこで、ＰＮＤ(Personal Navigation Display)だけでなく、計器盤(dashboard)などに適用されて、ＣＩＤ(Center Information Display)も具現することができる。しかし、本考案がこれに限定されず、このようなタッチウィンドウは、様々な電子製品に使用可能であり、人体などに着用されるウェアラブル装置にも適用可能なことは言うまでもない。
【０１６３】
以下、実施例及び比較例を通じて、本考案をより詳しく説明する。このような実施例は、本考案をより詳しく説明するための例示に過ぎない。そこで、本考案がこのような実施例に限定されることではない。
【０１６４】
実施例１
カバー基板上に、樹脂組成物を含む第１の中間層を配置し、前記第１の中間層上に電極層を配置した。ついで、電極層上に、樹脂組成物を含む第２の中間層をコートした。
【０１６５】
ここで、第１の中間層及び第２の中間層は、有機物を含み、電極層は、透明電極又は金属を含む。
【０１６６】
第１の中間層の屈折率(Refractive Index)は、１.５４であり、第２の中間層の屈折率は、１.７６であった。
【０１６７】
ついで、リング・オン・リング(ring on ring)剛性評価によって、カバー基板の強度を測定した。
【０１６８】
また、カバー基板の外部から、電極パターン視認の有無を測定した。
【０１６９】
実施例２
第１の中間層の屈折率は、１.５４であり、第２の中間層の屈折率は、１.８であることを除き、実施例１と同様に、タッチウィンドウを製造した後、カバー基板の破損の可否、及びパターン視認性の有無を測定した。
【０１７０】
比較例１
カバー基板上に直接電極層を配置したとことを除き、実施例１と同様に、タッチウィンドウを製造した後、カバー基板の破損の可否、及びパターン視認性の有無を測定した。
【０１７１】
比較例２
カバー基板上に屈折率整合層を配置した後、屈折率整合層上に電極層を配置したことを除き、実施例１と同様に、タッチウィンドウを製造した後、カバー基板の破損の可否、及びパターン視認性の有無を測定した。
【０１７２】
比較例３
第１の中間層の屈折率は、１.５４であり、第２の中間層の屈折率は、１.６５であることを除き、実施例１と同様に、タッチウィンドウを製造した後、パターン視認性の有無を測定した。
【０１７３】
【表１】
0003197252.tif 000003
【０１７４】
【表２】
0003197252.tif 000004
【０１７５】
表１及び表２に示しているように、カバー基板上に、第１の中間層を配置し、第１の中間層上に電極層を配置し、電極層上に第２の中間層を配置する場合、カバー基板の強度が向上し、外部から電極パターンが視認されないことが分かる。
【０１７６】
しかし、カバー基板上に、直接電極を配置する場合、カバー基板の強度が低下し、カバー基板上に屈折率整合層を配置した後、屈折率整合層上に電極を配置する場合、電極パターンは視認されないが、カバー基板の強度が低下することが分かる。
【０１７７】
また、第１の中間層及び第２の中間層の屈折率の差が０.２以上である実施例１、２は、電極パターンが視認されないが、第１の中間層及び第２の中間層の屈折率の差が０.２未満である比較例３は、電極パターンが視認されることが分かる。
【０１７８】
すなわち、本考案によるタッチウィンドウは、カバー基板上に第１の中間層を形成し、前記第１の中間層上に電極層を形成し、前記電極層上に第２の中間層を形成することで、電極層形成工程によるカバー基板の強度低下を防止し、パターン視認性を向上することができる。
【０１７９】
そこで、本考案によるタッチウィンドウは、タッチウィンドウの信頼性を向上することができる。
【０１８０】
上述した実施例で説明した特徴、構造、効果などは、本考案の少なくとも１つの実施例に含まれ、必ずしも１つの実施例にのみ限定されることではない。更には、各実施例において例示された特徴、構造、効果などは、本考案が属する分野の通常の知識を有する者によって、他の実施例に対しても組み合わせ又は変形して実施することができる。そこで、このような組み合わせと変形に関する内容は、本考案の範囲に含まれることと解されるべきである。
【０１８１】
また、以上で実施例を中心に説明したが、これは単に例示に過ぎず、本考案を限定することではなく、本考案が属する分野の通常の知識を有する者であれば、本考案の本質的な特性を逸脱しない範囲で、以上で例示していない様々な変形と応用が可能であることが分かる。合わせて、本考案に具体的に示されている各構成要素は、変形実施可能である。そして、このような変形と応用に関する相違点は、添付の請求範囲で規定する本考案の範囲に含まれることと解されるべきである。
【図１】
0003197252.tif 000005
【図２】
0003197252.tif 000006
【図３】
0003197252.tif 000007
【図４】
0003197252.tif 000008
【図５】
0003197252.tif 000009
【図６】
0003197252.tif 000010
【図７】
0003197252.tif 000011
【図８】
0003197252.tif 000012
【図９】
0003197252.tif 000013
【図１０】
0003197252.tif 000014
【図１１】
0003197252.tif 000015
【図１２】
0003197252.tif 000016
【図１３】
0003197252.tif 000017
【図１４】
0003197252.tif 000018
【図１５】
0003197252.tif 000019
【図１６】
0003197252.tif 000020
【図１７】
0003197252.tif 000021
【図１８】
0003197252.tif 000022
【図１９】
0003197252.tif 000023
【図２０】
0003197252.tif 000024
【図２１】
0003197252.tif 000025